(57)【特許請求の範囲】
【請求項１】
洋風便器の便鉢の後方に該洋風便器の幅方向に間隔をおいて２個設けられたボルト挿通孔に対しそれぞれ固定部材を挿通して固定し、該固定部材の上端部のヘッドを洋風便器の上面から突出させ、
底面に２個のヘッド挿入孔を備えると共に該ヘッド挿入孔同士の間のスパンを調節する調節機構が設けられている便座ボックスを、各ヘッド挿入孔にそれぞれ前記ヘッドを挿入させて該洋風便器上面に載設し、
該便座ボックス内に設けられたロック機構によって該ヘッドと便座ボックスとをロックして固定した便座取付装置であって、
該便座ボックスの外面に突出する操作片が設けられており、該操作片によって前記ロック機構のロック及びロック解除を行うようにした便座取付装置において、
前記調節機構は頭部が前記便座ボックスの外面に露出するボルトを有しており、該ボルトを回転させることにより前記ヘッド挿入孔間のスパン調節が行われることを特徴とする便座取付装置。
【請求項２】
請求項１において、前記ボルトの進退によって洋風便器の幅方向に移動するスライドベースが設けられており、該スライドベースに前記ヘッド挿入孔とロック機構とが設けられていることを特徴とする便座取付装置。
【請求項３】
請求項１又は２において、
前記固定部材は便器上面に配置される円盤状の前記ヘッドを備え、該ヘッドの側周面には周回方向に溝が設けられており、
前記ヘッド挿入孔内において該ヘッドと同心状にリングが配置されており、
該リングには、該リングを径方向に貫く孔又は切欠が設けられており、
該孔又は切欠内にボールが該径方向へ移動可能に配置されており、
該ヘッド挿入孔の内周面の一部には、該ボールのリング外方の端部が入り込み得る凹部が設けられており、
該ボールは、そのリング外方の端部が該凹部に入り込んだときにはそのリング内方の端部が該ヘッドの該溝から退出し、そのリング外方の端部が該凹部以外のヘッド挿入孔内周面に当接したときには、そのリング内方の端部が該ヘッドの該溝内に係入する大きさを有していることを特徴とする便座取付装置。
【請求項４】
請求項１又は２において、
前記固定部材は便器上面に配置される円盤状の前記ヘッドを備え、該ヘッドの側周面には周回方向に溝が設けられており、
前記ヘッド挿入孔内において該ヘッドと同心状にリングが配置されており、
該リングには、該リングを径方向に貫く孔又は切欠が設けられており、
該孔又は切欠内にボールが、そのリング内方の端部が該ヘッドの側周面の該溝に入り込むように配置されており、
該ヘッドの外周縁の一部には、該ボールのリング内方の端部が通過し得る切欠部が設けられていることを特徴とする便座取付装置。
【発明の詳細な説明】
【０００１】
【発明の属する技術分野】
本発明は便座あるいはさらに便蓋を便器に取り付けるための便座取付装置に関する。詳しくは、便器に固定される固定部材と、該固定部材に着脱自在な便座ボックスとからなる便座取付装置に関する。
【０００２】
【従来の技術】
便座ボックスを便器の後部上面に設置し、この便座ボックスに便座を枢支することは周知である。従来、この便座ボックスはボルトによって便器に固定されている。
【０００３】
ところで、便器に固定される固定部材と、該固定部材に着脱自在な便座支持部材とからなる便座取付装置によって便座等を便器に取り付けると、該便座支持部材と共に便座を便器から取り外し、便座の付根付近も含めて便器上面を十分に且つ容易に清掃することができる。そこで、本願出願人は、便器に固定される固定部材と、該固定部材に着脱自在に係合された便座支持部材と、該便座支持部材の該固定部材からの離脱を阻止するためのロック機構とを備えてなる便座取付装置によって便座を便器に着脱可能に且つ堅固に固定しうるように構成した便座取付装置を特開平９−８４７２４号公報にて提案している。
【０００４】
同号公報の第１の便座取付装置は、前記固定部材は便器上面に配置される円盤状のヘッドを備え、該ヘッドの側周面には周回方向に溝が設けられており、前記便座支持部材は、該ヘッドが挿入されるヘッド挿入孔を備えており、該ヘッド挿入孔内において該ヘッドと同心状にリングが配置されており、該リングには、該リングを径方向に貫く孔又は切欠が設けられており、該孔又は切欠内に球状のボールが該径方向へ移動可能に配置されており、該ヘッド挿入孔の内周面の一部には、該ボールのリング外方の端部が入り込み得る凹部が設けられており、該ロック部材は、そのリング外方の端部が該凹部に入り込んだときにはそのリング内方の端部が該ヘッドの該溝から退出し、そのリング外方の端部が該凹部以外のヘッド挿入孔内周面に当接したときには、そのリング内方の端部が該ヘッドの該溝内に係入する大きさを有していることを特徴とするものである。
【０００５】
かかる便座取付装置においては、リングを回転させることにより、ボールをリング内周面から突出させてヘッドの溝に係入させてロック状態（固定部材に対し便座支持部材が固定取付された状態）としたり、ボールを該溝から退出させてアンロック状態とすることが可能である。
【０００６】
同号公報の第２の便座取付装置は、前記固定部材は便器上面に配置される円盤状のヘッドを備え、該ヘッドの側周面には周回方向に溝が設けられており、前記便座支持部材は、該ヘッドが挿入されるヘッド挿入孔を備えており、該ヘッド挿入孔内において該ヘッドと同心状にリングが配置されており、該リングには、該リングを径方向に貫く孔又は切欠が設けられており、該孔又は切欠内に球状のボールが、そのリング内方の端部が該ヘッドの側周面の該溝に入り込むように配置されており、該ヘッドの外周縁の一部には、該ボールのリング内方の端部が通過し得る切欠部が設けられていることを特徴とするものである。
【０００７】
かかる便座取付装置においては、リングを回転させることにより、ボールをヘッドの溝内にのみ押し止めてロック状態としたり、ヘッドの切欠部を通過しうる位置に移動させてアンロック状態とすることができる。
【０００８】
第５図は同号公報の第１の便座取付装置の斜視図、第６図は正面図、第７図（ａ）は平面図、第７図（ｂ）及び第８図は第６図のVII −VII 線及びVIII−VIII線に沿う断面図、第９図（ａ）は分解斜視図、第９図（ｂ）は同（ａ）のＢ−Ｂ線に沿う断面図である。
【０００９】
この便座取付装置は、便器に固定される固定部材７０と、該固定部材７０に着脱自在に連結される便座支持部材７２とを備えている。この便座支持部材７２の軸棒７２ａに便座及び便蓋が装着される。
【００１０】
固定部材７０は、便器への固定用のボルト７４と、該ボルト７４と一体のフランジ７６及びヘッド７８を備えている。このヘッド７８は円盤形状であり、その側周面には周回方向に溝８０が延設されている。この溝８０は円弧形断面形状のものとなっている。
【００１１】
便座支持部材７２には、このヘッド７８が挿入されるヘッド挿入孔８２が設けられている。このヘッド挿入孔８２の上部は大径部８２ａとなっており、この大径部８２ａにリング８４が挿入される。このリング８４は、その径方向に貫通する切欠８６を備えており、この切欠８６にボール８８が挿入されている。
【００１２】
ヘッド挿入孔８２の内周面のうち、大径部８２ａの部分には、このボール８８を受け入れるための凹部９０が設けられている。
【００１３】
リング８４には、上方に突出する突起９２が設けられており、この突起９２は、便座支持部材７２の上面に配置された回転板９４の開口９６に係合している。
【００１４】
この回転板９４は、略円盤形状のものであり、その外周面の一部には張出部９４ａが設けられている。この張出部９４ａの内周面には、周回方向に延在する凹条９８が設けられている。前記便座支持部材７２の一端側は、この張出部９４ａに倣った円弧形状となっており、且つ凹条９８と係合する凸条１００がその周方向に延設されている。凹条９８と凸条１００とが係合することにより、回転板９４が便座支持部材７２に対し回転可能に係合される。なお、回転板９４には、その回転を行なうための摘み１０２が設けられている。
【００１５】
この便座支持部材７２は、そのヘッド挿入孔８２をヘッド７８に嵌合させ、摘み１０２を摘んで回転板９４を回転させ、第７図（ｂ）及び第８図のようにボール８８を大径部８２ａの周面のうち凹部９０以外の箇所に当接させることにより、固定部材７０に対し固定される。即ち、ボール８８が大径部８２ａの周面のうち凹部９０以外の箇所に当接すると、ボール８８がリング８４の内周面から突出し、該ボール８８がヘッド７８の溝８０に係合する。これにより、便座支持部材７２がボール８８を介して固定部材７０に対し固定される。この場合、便座支持部材７２に対し離脱方向の大きな外力が加えられたとしても、ボール８８が溝８０から退出することがなく、便座支持部材７２が固定部材７０から外れることはない。
【００１６】
便座支持部材７２を固定部材７０から取り外す場合には、摘み１０２を摘んで回転板９４を回転させ、ボール８８を凹部９０に対面した位置に配置する。この状態で便座支持部材７２を持ち上げると、ボール８８がリング８４の内周面から引っ込み、便座支持部材７２が固定部材７０から抜き出される。
【００１７】
第５図に示すように張出部９４ａの一端９４Ａが便座支持部材７２の段部７２Ａに当接した状態に置くと、第７図（ｂ）のようにボール８８が凹部９０以外の箇所に配置される。この状態において、回転板９４を第５図の矢印Ｓ方向に回し、張出部９４ａの端部９４Ｂを段部７２Ｂに当接させると、ボール８８が凹部９０に対面する。
【００１８】
なお、リング８４に切欠８６の代わりに貫通孔を設けても同じ作用が奏される。
【００１９】
第９図に示すように、固定部材７０のフランジ７６に切欠部１０６を設け、便座支持部材７２に、この切欠部１０６に係合する突部１０８（第８図）を設けている。これにより、便座支持部材７２の固定部材７０に対する周方向の位置決めを行なうようにしている。
【００２０】
第１０図〜第１７図は上記特開平９−８４７２４号公報の第２の便座取付装置を示すものである。
【００２１】
この便座取付装置は、便器に固定される固定部材１７０と、該固定部材１７０に着脱自在に連結される便座支持部材１７２とを備えている。この便座支持部材１７２の軸棒１７２ａに便座及び便蓋が装着される。
【００２２】
固定部材１７０は、便器への固定用のボルト１７４と、該ボルト１７４と一体のフランジ１７６及びヘッド１７８を備えている。このヘッド１７８は円盤形状であり、その側周面には周回方向に溝１８０が延設されている。この溝１８０は円弧形断面形状のものとなっている。
【００２３】
便座支持部材１７２には、このヘッド１７８が挿入されるヘッド挿入孔１８２が設けられている。このヘッド挿入孔１８２の上部は大径部１８２ａとなっており、この大径部１８２ａに回転板１９４と一体のリング１８４が挿入される。このリング１８４は、その径方向に貫通する切欠１８６を備えており、この切欠１８６にボール１８８が挿入されている。
【００２４】
ヘッド挿入孔１８２の内周面のうち、大径部１８２ａの部分には、このボール１８８を受け入れるための凹部１９０が設けられている。
【００２５】
第１６，１７図に明示の通り、リング１８４には、スリット１９１を切り込むことにより２個の弾性片１９２，１９３が設けられている。この弾性片１９２，１９３には爪１９２ｔ，１９３ｔがリング１８４の外周面の周方向に延設されている。
【００２６】
大径部１８２ａの内周面には、この爪１９２ｔ，１９３ｔが係合する爪１９２Ｔ，１９３Ｔが設けられている。
【００２７】
この回転板１９４は、略円盤形状のものであり、リング１８４を大径部１８２ａに強く押し込み、爪１９２ｔ，１９３ｔを爪１９２Ｔ，１９３Ｔに係合させることにより、回転板１９４が便座支持部材１７２に対し回転可能に係合される。なお、回転板１９４には、その回転を行なうための摘み２０２が設けられている。
【００２８】
この便座支持部材１７２は、そのヘッド挿入孔１８２をヘッド１７８に嵌合させ、摘み２０２を摘んで回転板１９４を回転させ、ボール１８８を大径部１８２ａの周面のうち凹部１９０以外の箇所に当接させることにより、固定部材１７０に対し固定される。即ち、ボール１８８が大径部１８２ａの周面のうち凹部１９０以外の箇所に当接すると、第１２図及び第１５図（ａ）のようにボール１８８がリング１８４の内周面から突出し、該ボール１８８がヘッド１７８の溝１８０に係合する。これにより、便座支持部材１７２がボール１８８を介して固定部材１７０に対し固定される。この場合、便座支持部材１７２に対し離脱方向の大きな外力が加えられたとしても、ボール１８８が溝１８０から退出することがなく、便座支持部材１７２が固定部材１７０から外れることはない。
【００２９】
便座支持部材１７２を固定部材１７０から取り外す場合には、摘み２０２を摘んで回転板１９４を回転させ、ボール１８８を凹部１９０に対面した位置に配置する。この状態で便座支持部材１７２を持ち上げると、第１５図（ｂ）のようにボール１８８がリング１８４の内周面から引っ込み、便座支持部材１７２が固定部材１７０から抜き出される。
【００３０】
この第２の便座取付装置にあっても、リング１８４に切欠１８６の代わりに貫通孔を設けても同じ作用が奏される。
【００３１】
第１５，１６図の通り、回転板１９４のリング１８４の外周面に２個の小凹部１９６が周方向に所定距離だけ離して設けられている。便座支持部材１７２の大径部１８２ａの内周面には、第１５図の通り、１個の小突起１９８が設けられると共に、この小突起１９８の背後に空洞２００が形成され、小突起１９８付近が板バネ状にヘッド挿入孔１８２の径方向に弾性変形可能となっている。
【００３２】
回転板１９４は、第１５図の通り、スリット１９１に臨む端面１９１ａが大径部１８２ａ内周面の段部１８２ｂに当接する範囲θ（第１５図（ｂ）参照）だけ回動しうるのであるが、回転板１９４が回動限界まで回転すると、小突起１９８が小凹部１９６に入り込み、摘み２０２の操作者の指先に軽いクリック感が感取され、これによって、回転板１９４がロック位置又はアンロック位置まで回転したことが知覚される。
【００３３】
爪１９２ｔ，１９３ｔはリング１８４の直径方向に対峙して設けられているが、このうちの一方の爪１９３ｔは他方の爪１９２ｔよりも高さが小さくなっている。
【００３４】
ヘッド挿入孔１８２の大径部１８２ａの底面部のうち、この高さの低い爪１９３ｔに対応する箇所に凸部２０６（第１１図、第１４図）が設けられている。従って、爪１９３ｔが凸部１９４に対峙する回転板１９４だけがこの便座支持部材１７２のヘッド挿入孔１８２に係合できる。
【００３５】
第１１，１２図の通り、固定部材１７０のフランジ１７６は略円形であるが、一部のみ弦方向にカットしたＤカット形状となっている。このフランジ１７６のＤカット部１７６ｄに対応して、便座支持部材１７２のヘッド挿入孔１８２の内周面にも弦方向部１８２ｄが設けられており、これらＤカット部１７６ｄと弦方向部１８２ｄとが係合することにより、便座支持部材１７２の方向決め及び回転防止が行なわれる。
【００３６】
第１０図の通り、パッキン２１０の方向性を良くするため、ボルト１７４の根本部分に平面部１７４ｈを２ヶ所設け、パッキン２１０の内孔にも２ヶ所の弦方向部２１０ａを設けてある。このパッキン２１０の外周面にも弦方向部２１０ｂを設けてある。
【００３７】
第１８〜２０図は、第１０〜１７図においてボール１８８の退避用の凹部１９０を便座支持部材１７２から無くし、代わりにボール脱出用の切欠部２１２をヘッド１７８に設けた便座取付装置を示すものである。
【００３８】
この第１８〜２０図の便座取付装置のその他の構成は第１０〜１７図と同様であり、第１０〜１７図と同一符号は同一部分を示している。
【００３９】
この第１８〜２０図の便座取付装置においても、摘み２０２によって回転板１９４を回すことにより、便座支持部材１７２のロック、アンロックを行なえる。アンロック状態にしておいて便座支持部材１７２を上方に引くと、ボール１８８は切欠部２１２を通り抜けるので、便座支持部材１７２を固定部材１７０から分離できる。
【００４０】
【発明が解決しようとする課題】
上記の便座取付装置は軸棒付きの便座支持部材を便器に取り付けるものであり、便座ボックスを便器に取り付けることはできなかった。
【００４１】
本発明は、簡単な摘み移動操作によって便座ボックスを便器に着脱することができる便座取付装置を提供することを目的とする。
【００４２】
【課題を解決するための手段】
本発明の便座取付装置は、洋風便器の便鉢の後方に該洋風便器の幅方向に間隔をおいて２個設けられたボルト挿通孔に対しそれぞれ固定部材を挿通して固定し、該固定部材の上端部のヘッドを洋風便器の上面から突出させ、底面に２個のヘッド挿入孔を備えると共に該ヘッド挿入孔同士の間のスパンを調節する調節機構が設けられている便座ボックスを、各ヘッド挿入孔にそれぞれ前記ヘッドを挿入させて該洋風便器上面に載設し、該便座ボックス内に設けられたロック機構によって該ヘッドと便座ボックスとをロックして固定した便座取付装置であって、該便座ボックスの外面に突出する操作片が設けられており、該操作片によって前記ロック機構のロック及びロック解除を行うようにした便座取付装置において、前記調節機構は頭部が前記便座ボックスの外面に露出するボルトを有しており、該ボルトを回転させることにより前記ヘッド挿入孔間のスパン調節が行われることを特徴とするものである。
【００４３】
かかる便座取付装置においては、便座ボックスに設けられた摘みなどの操作片を操作することにより固定部材に対する便座ボックスの固定及び固定解除を行うことができる。
【００４４】
本発明では、便座ボックスには該ヘッド挿入孔同士の間のスパンを調節する調節機構が設けられているので、固定部材同士の間のスパンにバラツキがあっても各ヘッド挿入孔を各固定部材と確実に係合させることができる。
【００４５】
この調節機構は頭部が前記便座ボックスの外面に露出するボルトを有しており、該ボルトを回転させることにより前記ヘッド挿入孔間のスパン調節が行われる。
【００４６】
この場合、ボルトの進退によって洋風便器の幅方向に移動するスライドベースが設けられており、該スライドベースに前記ヘッド挿入孔とロック機構とが設けられていることが好ましい。
【００４７】
【発明の実施の形態】
第１図は実施の形態に係る便座取付装置を後部下方から見上げた斜視図、第２図は便座ボックス内の内部ユニットの下方から見上げた斜視図、第３図（ａ）は内部ユニットの後部上方から見下した斜視図、第３図（ｂ）はスパン調節機構を示す分解斜視図、第４図はスライドベースと固定部材との係合関係を示す分解斜視図である。
【００４８】
洋風便器（図示略）の便鉢よりも後方に上下方向に２個のボルト挿通孔が設けられ、このボルト挿通孔に固定部材７０のボルト７４が挿通され、ナット７４ｎがボルト７４に締め込まれることにより固定部材７０が便器に固定されている。この固定部材７０は前記第５〜１０図の従来例と全く同一のものであり、第４図に詳細に示される通り、該固定部材７０は、便器への固定用のボルト７４と、該ボルト７４と一体のフランジ７６及びヘッド７８を備えている。このヘッド７８は円盤形状であり、その側周面には周回方向に溝８０が延設されている。この溝８０は円弧形断面形状のものとなっている。
【００４９】
便座ボックス１０の底面にはこのヘッド７８が通過する開口１１が設けられ、便座ボックス１０内の該開口１１の直上部分にこのヘッド７８と便座ボックス１０とを連通する連結部が設けられている。
【００５０】
この連結部は、前記第５〜１０図の従来例において便座支持部材７２の代わりにスライドベース１２（１２Ｒ、１２Ｌ）を用い、回転板９４の代わりにレバー付き回転板９４’を用いると共に、符号８２Ｔで示す当接部と該当接部と係合する凹又は凸部をヘッド７８に設けたほかは実質的に同一の構成のものとなっている。即ち、スライドベース１２には、このヘッド７８が挿入されるヘッド挿入孔８２が設けられている。このヘッド挿入孔８２の上部は大径部８２ａとなっており、この大径部８２ａにリング８４が挿入される。このリング８４は、その径方向に貫通する切欠８６を備えており、この切欠８６にボール８８が挿入されている。
【００５１】
ヘッド挿入孔８２の内周面のうち、大径部８２ａの部分には、このボール８８を受け入れるための凹部９０が設けられている。
【００５２】
なお、このヘッド７８（特にヘッド上面）には凹部（もしくは凸部）が形成され、ヘッド挿入孔８２より挿入されたヘッド７８の凹部（もしくは凸部）と当接して固定部材７０の回動を防止する当接部８２Ｔがヘッド挿入孔８２（もしくはヘッド挿入孔を形成する内周面及び上面）に配置（もしくは形成）されている。
【００５３】
リング８４には、上方に突出する突起９２が設けられており、この突起９２は、スライドベース１２の上面に配置されたレバー付き回転板９４’の開口９６に係合している。
【００５４】
このレバー付き回転板９４’の外周面の一部には張出部９４ａが設けられている。この張出部９４ａの内周面には、周回方向に延在する凹条９８が設けられている。スライドベース１２にはこの張出部９４ａの円弧形状の凹条９８と係合する凸条１００が円弧形状に延設されている。凹条９８と凸条１００とが係合することにより、回転板９４’がスライドベース１２に対し回転可能に係合される。回転板９４’には、その回転を行なうために、摘み１０２の代わりにレバー１０２’が設けられている。このレバー１０２’の先端部の上面からピン１３が突設され、後述するリンクと係合可能とされている。
【００５５】
このスライドベース１２のヘッド挿入孔８２をヘッド７８に嵌合させ、レバー１０２’を介して回転板９４’を回転させ、前記第８，９図のようにボール８８を大径部８２ａの周面のうち凹部９０以外の箇所に当接させることにより、スライドベース１２が固定部材７０に対し固定される。即ち、ボール８８が大径部８２ａの周面のうち凹部９０以外の箇所に当接すると、ボール８８がリング８４の内周面から突出し、該ボール８８がヘッド７８の溝８０に係合する。これにより、スライドベース１２がボール８８を介して固定部材７０に対し固定される。この場合、スライドベース１２に対し離脱方向の大きな外力が加えられたとしても、ボール８８が溝８０から退出することがなく、スライドベース１２が固定部材７０から外れることはない。
【００５６】
スライドベース１２から固定部材７０を離反させる場合には、レバー１０２’を介して回転板９４’を反対方向に回転させ、ボール８８を凹部９０に対面した位置に配置する。この状態で便座ボックス１０を持ち上げると、ボール８８がリング８４の内周面から引っ込み、便座支持部材７２が固定部材７０から抜き出される。
【００５７】
前記第５図に示した場合と同様に張出部９４ａの一端９４Ａが便座支持部材７２の段部７２Ａに当接した状態に置くと、前記第８図のようにボール８８が凹部９０以外の箇所に配置される。この状態において、回転板９４’を回し、張出部９４ａの端部９４Ｂを段部７２Ｂに当接させると、ボール８８が凹部９０に対面する。
【００５８】
この実施の形態においても、切欠８６のリング内周側を若干窄ませることにより、ボール８８のリング８４内方への脱落を阻止している。
【００５９】
なお、リング８４に切欠８６の代わりに貫通孔を設けても同じ作用が奏される。この実施の形態では前記第５図〜第９図の従来例装置の切欠部１０６と突部１０８とは設けられていない。
【００６０】
第２図に示される通り、スライドベース１２は便座ボックス１０内に設置された内部基板１４の下側に配置されている。第２〜４図の通り、このスライドベース１２の側辺からは張出片１２ａが突設され、該張出片１２ａにスライドベース１２の長手方向と平行方向に延在する長孔１２ｂが設けられている。この長孔１２ｂにワッシャ１６を介してビス１８を通し、このビス１８を内部基板１４に螺じ込むことによりスライドベース１２がその長手方向にスライドしうるように内部基板１４に取り付けられる。
【００６１】
内部基板１４の下面に沿ってリンク２０が配置され、このリンク２０はスライドベース１２の先端部の軸孔２２（第４図）に対し螺じ込まれたビス２４（第３図（ａ））によって軸支されている。リンク２０はその一端側にリンク２０の長手方向に延在する長孔２０ａ（第３図（ａ）参照）を備えており、該長孔２０ａに前記レバー１０２’の先端から突設されたピン１３が挿入されている。リンク２０の他端側の上面にはピン２０ｂが突設されている。
【００６２】
なお、軸孔２２は、リンク２０の回動軸線上に配置されるものであれば良い。また、リンク２０の水平時において、スライドベース１２から垂直方向に延び、且つ、リンク２０底面に当接するボスを形成し、このボスに軸孔２２を形成させても良い。この場合には、リンク２０の水平状態を安定的に支持できるので、リンク２０の回動がきわめてスムーズなものとなる。
【００６３】
第２図の通り、便座ボックス１０の側面に沿って矢印Ｌ方向にスライドするスライドピース２８が設けられ、このスライドピース２８の下面に設けられた溝（図示略）に該ピン２０ｂが係合している。この溝はスライドピース２８のスライド方向と直交方向（即ち内部基板１４の長手方向）に延在しており、スライドピース２８の矢印Ｌ方向への移動に伴ってリンク２０がビス２４を中心として回動する。
【００６４】
スライドピース２８には摘み２８ａが設けられている。この摘み２８ａは便座ボックス１０の外面から突出している。
【００６５】
内部基板１４の中央部にはスライドナット３０が設置されている。第３図に明瞭に示されるように、このスライドナット３０は、上下２葉のプレート３２、３４を有したコ字形状部３６と、該コ字形状部３６と一体のナット部３８とからなり、このナット部３８に調節ボルト４０が螺合している。この調節ボルト４０は便座ボックス１０に対し回転自在に且つその長手方向に移動不能に取り付けられており、この調節ボルト４０を回すことによりスライドナット３０が第３図（ｂ）のＸ1，Ｘ2方向に移動する。
【００６６】
プレート３２、３４にはそれぞれ長孔３２ａ、３４ａが設けられている。上側の長孔３２ａは第３図（ａ）において左下から右上に向って内部基板１４の長手方向と斜交方向に延在している。下側の長孔３２ｂは第３図（ａ）において右下から左上に向って延在している。
【００６７】
これらのプレート３２、３４間に左右のスライドベース１２Ｌ、１２Ｒの中央側の端部が挿入される。右側のスライドベース１２Ｒの中央側の端部の上面にはピン４２が突設され、左側のスライドベース１２Ｌの中央側の端部の下面にはピン４４が突設されている。
【００６８】
ピン４２は上側のプレート３２の長孔３２ａに係合し、ピン４４は下側のプレート３４の長孔３４ａに係合している。従って、スライドナット３０が第３図（ｂ）のＸ1方向に移動すると、長孔３２ａ、３４ｂにピン４２、４４が案内されることにより各スライドベース１２Ｒ、１２Ｌは互いに離反するＹ1方向に移動する。逆に、ナット３０がＸ2方向に移動すると、各スライドベース１２Ｒ、１２Ｌは互いに接近するＹ2方向に移動する。
【００６９】
なお、第３図の左側のスライドベース１２Ｌの中央側の上面には凹条４６が設けられ、右側のスライドベース１２Ｒの中央側の下面には凸条４８が設けられ、これらの凹条４６と凸条４８とが摺動自在に嵌合している。このため、各スライドベース１２Ｒ、１２Ｌはスライドナット３０のＸ1、Ｘ2方向の進退に伴って確実に同期してＹ1方向またはＹ2方向にスライドする。
【００７０】
このようにスライドベース１２Ｒ、１２ＬをＹ1、Ｙ2方向にスライドさせるのは、洋風便器に取り付けられた固定部材７０の位置の誤差に対処するためである。即ち、洋風便器は通常の場合陶器製であり、製造時の寸法誤差がかなり大きい。そして、便鉢の後方側に設けられた１対のボルト挿通孔の間隔（スパン）も便器毎に数ｍｍ程度異なることがある。
【００７１】
このようなボルト挿通孔の間隔のバラツキにより、固定部材７０、７０同士の間隔も洋風便器毎に異なる。
【００７２】
もし便座ボックスのヘッド挿入孔８２、８２の位置が一定不変であると、固定部材７０、７０同士の間隔のズレにより便座ボックスを洋風便器に固定できないことがある。これに対し、本実施の形態にあってはスライドベース１２Ｒ、１２Ｌを矢印Ｙ1、Ｙ2方向に移動可能としているため、便器のボルト挿通孔間の寸法に応じてヘッド挿入孔８２、８２間のスパンを調節できる。
【００７３】
なお、調節ボルト４０の頭部は便座ボックス１０の後面に露出しているので、このヘッド挿入孔８２、８２間のスパン調節は便座ボックス１０を開けることなく便座ボックス１０の外側からコインやドライバ等によってボルト４０を回すことにより簡単に行うことができる。
【００７４】
なお、便座ボックス１０の底面の開口１１は、第１図の通り便座ボックス１０の長手方向（洋風便器の幅方向）に長い長孔となっており、ヘッド挿入孔８２の位置が移動してもヘッド挿入孔８２が必ず開口１１の内側領域に入るように構成されている。
【００７５】
第１図の通り、この便座ボックス１０の前方側に便座５０が便座枢着軸５２によって起倒方向に回動自在に取り付けられている。
【００７６】
このように構成された便座取付装置においては、摘み２８ａを第１、２図の矢印Ｌ方向に沿って便座ボックス後方側へ移動させ、固定部材７０のヘッド７８をヘッド挿入孔８２に挿入して便座ボックス１０を洋風便器上に載置し、次いで摘み２８ａを便座ボックス前方側へ移動させて固定部材７０のヘッド７８をロック状態とすることにより、便座ボックス１０を洋風便器に堅固に固定することができる。また、摘み２８ａを再び便座ボックス後方側へ移動させることにより、便座ボックス１０を洋風便器上から取り外すことができる。なお、摘み２８ａのロック、アンロックの方向は上記と逆にしても良い。
【００７７】
なお、前記の通り、固定部材７０同士のスパンに合わせて調節ボルト４０を回し、ヘッド挿入孔８２、８２間のスパンを調節することができ、このスパン調節もきわめて容易である。
【００７８】
上記実施の形態においては前記第５図〜第９図の従来例装置をロック機構に採用しているが、第１０図〜第２０図の従来例装置のロック機構を採用しても良い。
【００７９】
【発明の効果】
以上の通り、本発明の便座取付装置にあっては、便座ボックスを洋風便器に対しきわめて容易に着脱することができる。本発明では、この便座ボックスを固定部材から取り外す場合には、便座ボックスの外面に突出する操作片を操作し、便座ボックスを持ち上げるだけで容易に取り外すことができる。本発明では、便座ボックスを固定部材に装着し、ロック状態とした場合、該便座ボックスに対し離脱方向に大きな外力が加えられたとしても、便座ボックスが固定部材から外れることが確実に防止される。
【図面の簡単な説明】
【図１】実施の形態に係る便座取付装置の底面の斜視図である。
【図２】図１の便座取付装置の内部機構を下方から見た斜視図である。
【図３】（ａ）図は図１の便座取付装置の内部機構を上方から見た斜視図である。（ｂ）図はスライドナットとスライドベースとの係合関係を示す分解斜視図である。
【図４】図１の装置の固定部材とスライドベースとの連結部の分解斜視図である。
【図５】従来例に係る便座取付装置の斜視図である。
【図６】図５の従来例装置の正面図である。
【図７】（ａ）図は図５の装置の平面図である。（ｂ）図は図６のVII −VII 線に沿う断面図である。
【図８】図６のVIII−VIII線に沿う断面図である。
【図９】図５の便座支持装置の分解斜視図である。
【図１０】別の従来例に係る便座取付装置の斜視図である。
【図１１】図１０の従来例装置の分解図である。
【図１２】図１０のXII-XII 線に沿う断面図である
【図１３】図１２においてボルトを除いた状態の断面図である。
【図１４】図１３のXIV-XIV 線に沿う断面図である。
【図１５】図１３のXV−XV線に沿う断面図である。
【図１６】回転板の裏面斜視図である。
【図１７】図１６のXVII−XVII線に沿う断面図である。
【図１８】さらに別の従来例に係る便座取付装置の分解斜視図である。
【図１９】図１８の従来例装置の縦断面図である。
【図２０】図１９のXX−XX線に沿う断面図である。
【符号の説明】
１０  便座ボックス
１２（１２Ｒ，１２Ｌ）  スライドベース
１４  内部基板
２０  リンク
２８  スライドピース
２８ａ  摘み
３０  スライドナット
３８  ナット部
４０  調節ボルト
５０  便座
７０，１７０  固定部材
７２，１７２  便座支持部材
７８，１７８  ヘッド
８０，１８０  溝
８２，１８２  ヘッド挿入孔
８４，１８４  リング
８８，１８８  ボール
９４，１９４  回転板
【図１】
0003728902.tif 000002
【図２】
0003728902.tif 000003
【図３】
0003728902.tif 000004
【図４】
0003728902.tif 000005
【図５】
0003728902.tif 000006
【図６】
0003728902.tif 000007
【図７】
0003728902.tif 000008
【図８】
0003728902.tif 000009
【図９】
0003728902.tif 000010
【図１０】
0003728902.tif 000011
【図１１】
0003728902.tif 000012
【図１２】
0003728902.tif 000013
【図１３】
0003728902.tif 000014
【図１４】
0003728902.tif 000015
【図１５】
0003728902.tif 000016
【図１６】
0003728902.tif 000017
【図１７】
0003728902.tif 000018
【図１８】
0003728902.tif 000019
【図１９】
0003728902.tif 000020
【図２０】
0003728902.tif 000021